(57)【特許請求の範囲】
【請求項１】
駆動源と、
ブラシを有する振動部材と、
前記駆動源の出力を前記振動部材の振動に変換する運動伝達機構と、
前記駆動源の出力を制御する制御手段と、を備え、
前記制御手段は、前記振動部材の駆動振動数を複数の異なる振動数の間で高速に繰り返す制御を行うことで、駆動振動数切替時における過渡状態を利用した刷掃を可能とする
電動歯ブラシ。
【請求項２】
前記複数の異なる振動数の少なくとも１つは、前記振動部材の共振振動数である
請求項１に記載の電動歯ブラシ。
【請求項３】
前記振動部材は、前記ブラシが第１の方向に共振する第１共振点と、前記ブラシが第２の方向に共振する第２共振点と、を有しており、
前記複数の異なる振動数には、前記第１共振点に対応する振動数と、前記第２の共振点に対応する振動数が含まれる
請求項１または２に記載の電動歯ブラシ。
【請求項４】
前記制御手段は、前記第１共振点に対応する振動数と前記第２共振点に対応する振動数とで前記振動部材を繰り返して駆動するように出力を交互に切り替える
請求項３に記載の電動歯ブラシ。
【請求項５】
前記制御手段は、前記第１の方向の共振が生じるように前記駆動源の出力を制御する第１の動作モードと、前記第２の方向の共振が生じるように前記駆動源の出力を制御する第２の動作モードと、を有しており、該第１および第２の動作モードを高速に繰り返す
請求項３または４に記載の電動歯ブラシ。
【請求項６】
前記第１の方向は、ブラシ面に対して平行な方向であり、
前記第２の方向は、前記ブラシ面に対して垂直な方向である
請求項３〜５のいずれか１項に記載の電動歯ブラシ。
【請求項７】
前記第１共振点は、前記運動伝達機構に依存する特性であり、
前記第２共振点は、前記ブラシに依存する特性である
請求項３〜６のいずれか１項に記載の電動歯ブラシ。
【請求項８】
切り替え前の駆動振動数に対応するブラシ動作の軌跡と、切り替え後の駆動振動数に対応するブラシ動作の軌跡とが、異なるものである
請求項１に記載の電動歯ブラシ。
【請求項９】
ブラシの動作が安定している期間を安定動作期間とし、駆動振動数を切り替えてからブラシの動作が安定するまでの期間を過渡状態期間とし、
前記制御手段は、過渡状態期間が安定動作期間の１／３以上となるように、駆動振動数を切り替える
請求項１〜８のいずれか１項に記載の電動歯ブラシ。
【請求項１０】
前記制御手段は、過渡状態期間が安定動作期間以上となるように、駆動振動数を切り替える
請求項９に記載の電動歯ブラシ。
【発明の詳細な説明】
【技術分野】
【０００１】
本発明は、電動歯ブラシに関する。
【背景技術】
【０００２】
高速に振動するブラシを歯面にあてることによって歯磨き（歯垢除去）を行うタイプの電動歯ブラシが知られている。このタイプの電動歯ブラシでは、歯垢除去力の向上や施療感の向上をねらって様々な駆動機構や駆動方法が提案されている。
【０００３】
例えば、機械共振を利用して振動振幅特性を極大化する手法を用いた電動歯ブラシが市販されている。
【０００４】
また、特許文献１には、電動歯ブラシのモータを１〜１０秒おきに正転・逆転を切り替え、１〜５回程度の切替が起きたときに、ブラシの動作を一時的に停止させたり強さを変えたりすることで、利用者に歯磨きをしている時間を把握させる電動歯ブラシが開示されている。
【０００５】
また、マッサージモードとして連続的に電動歯ブラシの振動数を変化させる電動歯ブラシも存在している。
【特許文献１】特表平８−１４０７３８号公報
【発明の開示】
【発明が解決しようとする課題】
【０００６】
上記の従来技術は動作モードを切り替える制御を行っているが、動作モードの切り替え周期が長いため、それぞれの動作モードを交互に行うのと同等の歯垢除去力が得られるだけである。
【０００７】
本発明の目的は、電動歯ブラシの歯垢除去力および施療感のさらなる向上を図るための技術を提供することである。
【０００８】
また本発明のさらなる目的は、構成の複雑化、コスト増、消費電力の増大を招くことなく、電動歯ブラシの歯垢除去力および施療感のさらなる向上を図るための技術を提供することである。
【課題を解決するための手段】
【０００９】
上記目的を達成するために本発明は、以下の構成を採用する。
【００１０】
本発明に係る電動歯ブラシは、駆動源と、ブラシを有する振動部材と、前記駆動源の出力を前記振動部材の振動に変換する運動伝達機構と、前記駆動源の出力を制御する制御手段と、を備え、前記制御手段は、前記振動部材の駆動振動数を高速に繰り返す（切り替える）制御を行うことで、駆動振動数切替時における過渡状態を利用した刷掃を可能としている。
【００１１】
振動部材の駆動時に、安定状態においてはブラシが定常的な動きをするが、その切り替え時期（過渡状態）においては安定状態では得られないような不規則なブラシの動きが得られる。この不規則なブラシの動きによって、より高い歯垢除去力が得られると考えられる。そこで、本発明における制御手段は、駆動振動数を高速に切り替えることで、歯磨きを行っている時間に対する過渡状態の割合を高め、このような過渡状態における不規則な
ブラシ動作による刷掃を可能とした。したがって、本発明に係る電動歯ブラシによれば、高い歯垢除去力が得られるとともに施療感の向上を図ることができる。
【００１２】
また、本発明では上記のような不規則なブラシ動作を駆動源の出力制御だけで実現しているので、駆動系や伝達系に特殊な機構や部品が必要ない。よって、電動歯ブラシの構成の複雑化やコスト増を招くことがない。
【００１３】
本発明における制御手段は、２つの駆動振動数の間を交互に切り換えるものであっても良く、３つ以上の駆動振動数を所定の順序あるいはランダムに切り換えるものであっても良い。
【００１４】
前記複数の異なる振動数の少なくとも１つは、前記振動部材の共振振動数であることが好適である。さらに、複数の異なる振動数に、複数の共振振動数が含まれることが好適である。共振を利用することで、ブラシの振幅が大きくなるためである。
【００１５】
ここで、本発明における振動部材は、ブラシが第１の方向に共振する第１共振点と、ブラシが第２の方向に共振する第２共振点と、を有しており、前記制御手段は、第１の方向の共振が生じるように駆動源の出力を制御する第１の動作モードと、第２の方向の共振が生じるように駆動源の出力を制御する第２の動作モードと、を有しており、第１および第２の動作モードを高速に切り換えることが好適である。
【００１６】
上記第１、第２の動作モードのように共振を利用する動作モード（以下、「共振動作モード」という。）では、共振を利用しない動作モード（以下、「通常動作モード」という。）よりも、ブラシの振幅が大きくなる。安定状態におけるブラシの振幅が大きいので、過渡状態におけるブラシの振幅も大きくなる。したがって、切り替え前後における動作モードの少なくともいずれかに共振動作モードが含まれていれば、安定状態および過渡状態の両方で（すなわち、全施療期間にわたって）ブラシの振幅を大きくすることができ、より高い歯垢除去効果および施療感が得られる。また、共振現象を利用しているので、通常動作モードと同等の消費電力で振幅の増大（歯垢除去力の向上）を図ることができ、効率的である。
【００１７】
さらに、本発明における制御手段が、第１の動作モードと第２の動作モードとを交互に切り替えることが好適である。ブラシ振幅の大きい２つの共振動作モードを繰り返すことで、過渡状態におけるブラシの振幅も大きくなり、高い歯垢除去力が得られる。
【００１８】
前記第１の方向は、ブラシ面に対して平行な方向であり、前記第２の方向は、前記ブラシ面に対して垂直な方向であることが好ましい。ここで「ブラシ面」とは、ブラシの繊維と直交し、かつ、繊維の先端部分に位置する仮想的な面をいう。第１の方向の共振では、ブラシの毛先が施療部に対し平行な方向に小刻みに動くので、歯周ポケットの刷掃に高い効果が得られ、第２の方向の共振では、ブラシの毛先が施療部に対し垂直な方向に小刻みに動くので、歯間部や歯周ポケットや歯面の刷掃に高い効果が得られると期待できる。そして、過渡状態においては、これら第１および第２の方向が組み合わされた不規則な動きをするので、両動作モードの効果を両立して得ることが可能となる。
【００１９】
前記第１共振点は、前記運動伝達機構に依存する特性であり、前記第２共振点は、前記ブラシに依存する特性であることが好ましい。
【００２０】
前記制御手段が、前記ブラシに作用する負荷を検知し、検知された負荷に応じて前記駆動源の出力を調整することが好ましい。ブラシに作用する負荷に依存して、振動部材の振動特性が変動するからである。
【００２１】
前記運動伝達機構が前記振動部材に内包されており、前記振動部材が弾性部材を介して電動歯ブラシ本体に取り付けられていることが好ましい。この構成によると、運動伝達機構が振動部材に内包されていることからブラシ近傍が効率的に振動する一方で、弾性部材の介在によって振動部材の振動が電動歯ブラシ本体に伝わりにくくなるので使用感の向上を図ることができる。
【００２２】
前記駆動源がモータであり、前記運動伝達機構が前記モータの回転軸に連結された偏心軸であり、前記振動部材が、前記偏心軸の軸受を有するステムを備えることが好ましい。このような駆動原理の電動歯ブラシでは、振動部材（ブラシ）が回転軸に垂直な面内を２次元的に振動する。そして、その振動面内の略直交する２方向においてそれぞれ共振が現れる。この２方向を上記第１、第２の方向として利用できる。
【００２３】
なお、切り替え前の駆動振動数に対応するブラシ動作の軌跡と切り替え後の駆動振動数に対応するブラシ動作の軌跡とが異なるものであれば、これらの動作モードが共振を利用したものでなくても構わない。切り替え前後でブラシ動作の軌跡が異なれば、その過渡状態においてはブラシの軌跡が不規則となり、歯垢除去効果の向上が得られるためである。
【００２４】
本発明における制御手段は、過渡状態期間が安定動作期間の１／３以上、すなわち、全動作期間に占める過渡状態期間の割合が１／４以上となるように、駆動振動数を高速に切り替えることが好適である。さらに、過渡状態期間が安定動作時間以上となるように、すなわち、全動作期間に占める過渡状態期間の割合が半分以上となるように、駆動振動数を高速に切り換えることが好適である。なお、ここで、安定動作期間はブラシの動作が安定している期間であり、過渡状態期間は駆動振動数を切り替えてからブラシの動作が安定するまでの期間である。
【００２５】
なお、上記手段および処理の各々は可能な限り互いに組み合わせて本発明を構成することができる。
【発明の効果】
【００２６】
本発明は、電動歯ブラシの歯垢除去力および施療感のさらなる向上を図ることができる。また、本発明は、構成の複雑化、コスト増、消費電力の増大を招かない。
【発明を実施するための最良の形態】
【００２７】
以下に図面を参照して、この発明の好適な実施の形態を例示的に詳しく説明する。
【００２８】
（第１実施形態）
＜電動歯ブラシの構成＞
図１、図２、図３を参照して、電動歯ブラシの構成を説明する。図１は電動歯ブラシの外観を示す斜視図であり、図２は電動歯ブラシの内部構成を示す断面図であり、図３はブロック図である。
【００２９】
電動歯ブラシは、駆動源であるモータ１０を内蔵する電動歯ブラシ本体１（以下、単に「本体１」という。）と、ブラシ２１０を有する振動部材２とを備えている。本体１は、概ね円筒形状を呈しており、歯を磨く際に使用者が手で握るためのハンドル部を兼ねている。
【００３０】
本体１には、電源のオン／オフおよび動作モードの切り替えを行うためのスイッチＳが設けられている。また本体１の内部には、駆動源であるモータ１０、モータ１０の回転数を制御するための駆動回路１２、２．４Ｖ電源である充電池１３、充電用のコイル１４な
どが設けられている。充電池１３を充電する際には、充電器（不図示）に本体１を載置するだけで、電磁誘導により非接触で充電可能である。駆動回路１２は、図３に示すように、ＣＰＵ（中央演算処理装置）１２０、プログラムや各種設定値を記憶するメモリ１２１、タイマ１２２などを有している。
【００３１】
振動部材２は、本体１側に固定されているステム部２０と、このステム部２０に装着されるブラシ部品２１とを備える。ブラシ部品２１の先端にはブラシ２１０が植毛されている。ブラシ部品２１は消耗部品ゆえ、新品に交換できるよう、ステム部２０に対して着脱自在な構成となっている。
【００３２】
ステム部２０は、樹脂材からなるステム２００およびホルダ２０１と、エラストマからなる弾性部材２０２とから構成される。この弾性部材２０２は、インサート成形によりステム２００およびホルダ２０１に一体成形されることが好ましい。弾性部材２０２は、ステム２００とホルダ２０１の間に介在しており、ホルダ２０１に設けられた複数の貫通孔からそれぞれ突出する複数（たとえば３個）の突起部２０２Ａを備えている。ステム部２０は、本体１の外ケースに対して、弾性部材２０２の３個の突起部２０２Ａによる３点接触により位置決めされる。このように、本実施形態の振動部材２は、弾性部材２０２を介して本体１に取り付けられている。
【００３３】
ステム２００は、先端（ブラシ側の端部）が閉じた筒状の部材であり、筒の内部の先端に軸受２０３を有している。モータ１０の回転軸１１に連結された偏心軸３０の先端が、ステム２００の軸受２０３に挿入される。この偏心軸３０は、軸受２０３の近傍に重り３００を有しており、偏心軸３０の重心はその回転中心からずれている。なお、偏心軸３０の先端と軸受２０３の間には微小なクリアランスが設けられている。
【００３４】
＜電動歯ブラシの基本動作＞
電動歯ブラシの基本動作について説明する。
【００３５】
電源オンの状態になると、ＣＰＵ１２０がパルス幅変調信号（ＰＷＭ信号）をモータ１０に供給し、モータ１０の回転軸１１を回転させる。回転軸１１の回転に伴って偏心軸３０も回転するが、偏心軸３０は重心がずれているために回転中心の回りに旋回するような運動を行う。よって、偏心軸３０の先端が軸受２０３の内壁に対して衝突を繰り返し、ステム２００とそれに装着されたブラシ部品２１とを高速に振動させることとなる。つまり、偏心軸３０は、モータ１０の出力（回転）を振動部材２の振動に変換する運動伝達機構（運動変換機構）の役割を担っている。本体１を手で持ち、高速に振動するブラシ２１０を歯に当てることで、歯垢を除去することができる。なお、ＣＰＵ１２０はタイマ１２２を用いて継続動作時間を監視しており、所定時間（たとえば２分間）が経過したら自動的にブラシの振動を停止させる。
【００３６】
本実施形態の電動歯ブラシでは、運動伝達機構である偏心軸３０が振動部材２に内包され、特に重り３００がブラシ２１０の近傍に配置されている。よって、ブラシ２１０の部分を効率的に振動させることができる。その一方で、振動部材２（ステム部２０）が弾性部材２０２を介して本体１に取り付けられているので、振動部材２の振動が本体１に伝わり難くなっている。よって、歯を磨く際の本体１および手の振動を低減でき、使用感の向上を図ることができる。
【００３７】
＜振動特性の説明＞
本実施形態の電動歯ブラシでは、上述のように、偏心軸３０の旋回運動を利用してブラシ２１０の振動を発生させている。このような駆動原理の場合、ブラシ２１０はモータの回転軸に垂直な面内を２次元的に振動し得る。図４は、ブラシの振動の軌道を模式的に示
している（Ｘ軸：モータ回転軸、Ｙ軸：回転軸に対して垂直で且つブラシ面に対して平行な方向、Ｚ軸：ブラシ面に対して垂直な方向）。図示の例ではブラシ２１０がＹＺ平面を楕円状の軌道４０で振動している。ブラシ面とは、ブラシの繊維と直交し、かつ、繊維の先端部分に位置する仮想的な面のことをいう。
【００３８】
本実施形態の電動歯ブラシは図５に示すような振動特性を有する。なお、図５は、ブラシに対してＺ軸方向に１００ｇの負荷を与えた状態における、振動数と振幅の関係を示している。横軸は振動数［Ｈｚ］であり、縦軸は振幅［ｍｍ］であり、実線のグラフはＹ軸方向（横方向）の振幅を表し、破線のグラフはＺ軸方向（縦方向）の振幅を表している。
【００３９】
図５のグラフから分かるように、本実施形態の電動歯ブラシは少なくとも２つの共振点（共振振動数）を有しており、各共振点における共振方向は異なっている。具体的には、振動数が低い側の共振点（第１共振点：約１００Ｈｚ）ではブラシ面に平行な共振方向であるＹ軸方向の共振が発生し、振動数が高い側の共振点（第２共振点：約２００Ｈｚ）ではブラシ面に垂直な共振方向であるＺ軸方向の共振が発生する。
【００４０】
方向の異なる複数の共振が出現する理由は、電動歯ブラシの構造やその駆動原理に依るところが大きいと考えられる。本発明者らは、偏心軸やブラシの構成を変更しながら実験を繰り返すことで、第１共振点が主に運動伝達機構に依存する特性であり、第２共振点が主にブラシに依存する特性であるとの知見を得ている。言い換えれば、運動伝達機構の構造や形状（簡単には偏心軸の重りの位置、大きさ、重量など）を変更することで第１共振点の振動数や振幅を調整でき、また、ブラシの構造や形状を変更することで第２共振点の振動数や振幅を調整できることが分かった。
【００４１】
第１共振点を利用する動作モード（以下、「第１共振動作モード」という。）では、図５から分かるようにＺ軸方向の振動がほぼ発生していないため、ブラシの軌跡はＹ軸方向に往復する直線となる。第２共振点を利用する動作モード（以下、「第２共振動作モード」という。）では、Ｚ軸方向の共振が発生するとともにＹ軸方向にも振幅があるため、ブラシの軌跡はＺ軸方向を長軸とする楕円となる。
【００４２】
本発明者らは、第１共振動作モードと第２共振動作モードとを切り替える際に生じる過渡状態におけるブラシの振動によって、歯周ポケットに対して高い刷掃効果が得られることを見出した。
【００４３】
第１共振動作モードと第２共振動作モードを交互に切り替えた際のブラシの動きを調べると、図６，７に示すような軌跡となることが分かった。図６はＹＺ平面におけるブラシの軌跡を示した図であり、図７は軌跡のＹＺ成分をそれぞれ示した図である。この例では、第１共振動作モードと第２共振動作モードとを０．３秒ずつ交互に切り替えている。図７に示すように、各動作モードを切り替える際に、ＹＺ軸方向の振動振幅が変化し、これに伴ってブラシが不規則な運動をすることが分かる。この不規則なブラシの運動によりブラシの毛先が施療部に対して様々な角度から当たることが、単一方向の刷掃に比べてより優れた歯垢除去効果が得られる理由であると考えられる。
【００４４】
なお、この例では、第１共振動作モード（低振動数）から第２共振動作モード（高振動数）への移行の過渡状態期間は約０．０７秒であり、第２共振動作モードから第１共振動作モードへの移行への過渡状態期間は約０．１４秒となっている。第２共振動作モードから第１共振動作モードへの移行に時間を要するのは、慣性の影響による。
【００４５】
本発明者らは、このような過渡状態における不規則なブラシの運動を利用して歯垢除去効果を高めるためには、動作モードを高速に切り替えて、ブラシが動作している期間に占
める過渡状態期間の割合を大きくすればよいことに想到した。
【００４６】
＜動作モードの説明＞
本実施形態の電動歯ブラシは駆動振動数の異なる複数の動作モードを有している。電源オフの状態からスイッチＳを押すたびに動作モードが順番に切り替わり、一巡するとオフ状態に戻る。図３に示すようにメモリ１２１には各動作モードに対応した設定値が予め格納されている。この設定値は各動作モードの駆動振動数に対応するパラメータであり、その具体的な数値は図５のような実験結果に基づき決定される。
【００４７】
動作モードが切り替えられると、ＣＰＵ１２０はメモリ１２１から該当する設定値を読み込み、その値に従ってＰＷＭ信号のデューティ比を決定する。デューティ比が大きくなるとモータ１０の回転数が高くなり、結果的にブラシ２１０の振動数も高くなる。このように、本実施形態では、駆動回路１２が、モータ１０の出力（回転数）およびブラシ２１０の振動数を制御する制御手段の役割を担っている。
【００４８】
（１）第１共振動作モード
第１共振動作モードは、第１共振点を利用する動作モードである。駆動振動数は第１共振点（約１００Ｈｚ）またはその近傍に設定される。第１共振動作モードでは、デューティ比約５０％のＰＷＭ信号を用いる。第１共振動作モードでは、通常動作モードよりもブラシ２１０のＹ軸方向（横方向）の振幅が増大し、歯垢除去力および施療感を高めることができる。特に、第１共振動作モードでは、ブラシ２１０の毛先が施療部に対し平行な方向に小刻みに動くので、歯周ポケットの刷掃に高い効果が得られるものと思われる。
【００４９】
（２）第２共振動作モード
第２共振動作モードは、第２共振点を利用する動作モードである。駆動振動数は第２共振点（約２００Ｈｚ）またはその近傍に設定される。第２共振動作モードでは、デューティ比約９０％のＰＷＭ信号を用いる。第２共振動作モードでは、通常動作モードよりもブラシ２１０のＺ軸方向（縦方向）の振幅が増大し、歯垢除去力および施療感を高めることができる。特に、第２共振動作モードでは、ブラシ２１０の毛先が施療部に対し垂直な方向に小刻みに動くので、歯間部や歯周ポケットや歯面の刷掃に高い効果が得られるものと思われる。
【００５０】
（３）通常動作モード
通常動作モードは、共振を利用しない動作モードである。駆動振動数は第１共振点と第２共振点の間（たとえば１５０Ｈｚ）に設定される。なお、１２０Ｈｚ、１４０Ｈｚ、１６０Ｈｚ、１８０Ｈｚのように多段階の通常動作モードを設け、スイッチＳで切り替えられるようにしてもよい。また、第１共振点よりも低い振動数や第２共振点よりも高い振動数の通常動作モードを設けることも好ましい。
【００５１】
（４）共振切替動作モード
共振切替動作モードは、第１共振動作モードと第２共振動作モードとを短い時間間隔で交互に繰り返す動作モードである。共振切替動作モードでは、第１共振動作モードと第２共振動作モードを繰り返すので、ＰＷＭ信号のデューティ比はメモリ１２１に格納された各共振動作モードの設定値から算出する。共振切替動作モードにおける、メモリ１２１に格納される設定値は、各共振動作モードの動作時間である。
【００５２】
各共振動作モードの動作時間が０．３秒である場合には、図８Ａに示すように、ＰＷＭ信号の出力は０．３秒おきに第１共振動作モードと第２共振動作モードに対応するデューティ比に切り換えられる。上述のように、第１共振動作モードから第２共振動作モードへの過渡状態が約０．０７秒、第２共振動作モードから第１共振動作モードへの過渡状態が
約０．１４秒であるとすると、図８Ｂに示すように、第１共振動作モードでの安定動作期間が約０．１６秒、第２共振動作モードでの安定動作期間が約０．２３秒となる。過渡状態期間の合計は約０．２１秒であり、全体の約１／３となる。このような動作モードでは、第１，第２共振動作モードの各安定動作期間における振幅の大きな刷掃と、過渡状態における不規則な刷掃の３種類の刷掃がそれぞれ同程度の時間現れることになる。それぞれの刷掃は異なる種類の刷掃効果が得られるものであるので、本動作モードによると、それぞれの刷掃効果を同時に得ることができる。
【００５３】
なお、第１共振動作モードと第２共振動作モードの切り替え間隔は０．３秒である必要はない。例えば、０．２秒や０．４秒間隔で切り替えても良い。０．２秒および０．４秒間隔で切り替えた際の、ブラシの動作状態を図９Ａ，Ｂにそれぞれ示す。
【００５４】
図９Ａに示すように、０．２秒間隔で切り替えると、第１共振動作モードの安定動作期間が約０．０６秒、第２共振動作モードの安定動作期間が約０．１３秒となる。過渡状態期間の合計は約０．２１秒であり、全体の約１／２となる。
【００５５】
図９Ｂに示すように、０．４秒間隔で切り替えると、第１共振動作モードの安定動作期間が約０．２６秒、第２共振動作モードの安定動作期間が０．３３秒となる。過渡状態期間の合計は約０．２１秒であり、全体の約１／４となる。
【００５６】
なお、切り替え間隔はこれより長くても短くても良いが、切り替え間隔が長すぎると全体の動作時間に占める過渡状態期間の割合が短くなってしまい、不規則な刷掃動作による歯垢除去の効果を十分に得ることができなくなる。また逆に、切り替え間隔が短すぎると、共振動作モードで安定動作しなくなってしまう。共振動作モードで安定しないということは、過渡状態における振幅を十分に大きくできていないことを意味し、歯垢除去効果が十分に得られていないことを意味する。
【００５７】
また、切り替え動作間隔は、各共振動作モードについて異ならせても良い。例えば、第１共振動作モードの動作期間を０．２４秒、第２共振動作モードの動作期間を０．１７秒とすることが考えられる。この場合のブラシの動作状態を図９Ｃに示す。このような設定にすると、第１共振動作モードの安定動作期間が約０．１０秒、第２共振動作モードの安定動作期間が約０．１０秒、過渡状態期間の合計が約０．２１秒となる。これは、過渡状態期間と安定動作期間が１対１であり、かつ、第１，２共振動作モードの安定動作期間が等しくなる設定である。
【００５８】
また、切替をより高速に行って、動作時間のほぼ全体を過渡状態とすることもできる。すなわち、第１，２共振動作モードでの安定動作期間が、たとえば、０．０２秒となるように、第１共振動作モードの動作期間を０．１６秒、第２共振動作モードの動作期間を０．０９秒とすることが考えられる。この場合のブラシの動作状態を図９Ｄに示す。この設定にすると、過渡状態期間がほぼ全動作期間を占める（０．２１／０．２５）ようにすることができる。
【００５９】
このように、切り替え間隔を適宜設定することで、種々の動作を実現することができる。
【００６０】
以上述べたように本実施形態によれば、共振方向の異なる複数の共振動作モードを切り替える際の過渡状態を利用し、不規則なブラシ振動を実現して、歯垢除去力および施療感の向上を図ることができる。共振を利用しているので、過渡状態におけるブラシの振動振幅も大きくなる。また、歯垢除去効果を得るために高い振動数で動作させる時間を削減できるため、歯肉への刺激も緩和することができる。また、複数の共振動作モードをモータ
の回転数制御だけで実現しているので、駆動系や伝達系に特殊な機構や部品が必要ない。よって、電動歯ブラシの構成の複雑化やコスト増を招くことがない。さらに、共振現象を利用しているので、通常動作モードと同等の消費電力で振幅の増大（歯垢除去力の向上）を図ることができ、効率的である。
【００６１】
（第２実施形態）
上記第１実施形態では、各動作モードで単一の設定値を用いている。しかし、図１０に示すように、ブラシに作用する負荷が変わると、ブラシの振動特性が変動し、共振点の位置が変わってしまう。図１０は負荷２５０ｇの場合の振動特性を示しているが、第１共振点は１１０Ｈｚあたりに、第２共振点は２５０Ｈｚあたりに現れており、負荷１００ｇの場合（図５）に比べて、いずれの共振点も大きくなっていることが分かる。そこで、第２実施形態では、ブラシに作用する負荷を検知し、負荷の大きさに応じてモータの回転数を調整する。
【００６２】
図１１は、第２実施形態の電動歯ブラシのブロック図である。第１実施形態と異なる点は、電流検知回路１２３が設けられていることと、メモリ１２１の中に負荷の大きさに対応して複数の設定値が格納されていることである。
【００６３】
電流検知回路１２３は、モータ１０の電流値を検知する回路である。ブラシを歯面に強く押し当てるほどブラシに作用する負荷が大きくなる。そしてブラシに作用する負荷が増大すると、モータ１０の負荷も増大し、モータ１０に流れる電流値が増大する。よって、ＣＰＵ１２０は、電流検知回路１２３の検知結果に基づいてブラシ２１０に作用する負荷の大きさを推定することができる。
【００６４】
メモリ１２１には、動作モード別に、負荷７０ｇ〜２５０ｇの範囲に対応する設定値が格納されている。本実施形態では、負荷７０ｇ、１００ｇ、・・・、２５０ｇのように予め決められた負荷の値（代表値）に対応する設定値が用意されている。ＣＰＵ１２０は、ブラシに作用している負荷の値に基づいて、これらの設定値の中から最適なものを選択するか、あるいは、これらの設定値を補間することにより適切な値を算出する。なお、設定値を負荷の大きさの関数で表現できる場合には、その関数を表すパラメータをメモリに格納することも好ましい。
【００６５】
また、負荷の値が変わると、各動作モードを切り換える際の過渡状態の期間にも変動が生じる。したがって、共振切替動作モードにおいて、各モードの切替間隔の適切な値も変化する。そこで、負荷の値に応じた切替間隔が、メモリ１２１に格納される。
【００６６】
このような構成により、ブラシに作用する負荷の大きさに応じてモータの回転数を適宜調整することで、負荷に依存する共振点のズレをカバーし、共振現象を正確に再現できるようになる。また、過渡状態期間の全体動作期間に占める割合も、正確に再現することができるようになる。
【００６７】
（第３の実施形態）
本実施形態は、ブラシの種類によってその振動特性が異なることを考慮し、現在装着されているブラシ部品２１の種類を検出し、その種類に応じた振動特性を利用する。ブラシの種類を検出するために、ブラシ部品２１にブラシ種類毎に異なる識別マーカを付し、本体１に識別マーカ読み取り部を設けて、ブラシの種類を検出する。
【００６８】
識別マーカとして、ブラシ種類に応じて異なる抵抗値を有する導電性素材を利用することができる。本体１の識別マーカ読み取り部は、導電性素材の抵抗値を読み取ることでそのブラシ種類を判別可能である。
【００６９】
また、識別マーカとして、永久磁石などの電磁素子を利用可能であり、ブラシ種類に応じて磁石の磁力の強さや磁石の設置位置を変えて、ブラシ取り付け時に識別マーカ読み取り部にかかる磁界の強さを異ならせる。本体１の識別マーカ読み取り部は、コイルを備えており、ブラシ部品２１の取り付け時に生じる誘導起電力の強さを検出する。誘導起電力の強さはコイルに係る磁界の強さに比例するため、誘導起電力に基づいてブラシ種類を判別可能である。
【００７０】
また、識別マーカ読み取り部として複数の光電素子を利用し、識別マーカとしては光電素子に対応する位置における穴部を採用することができる。ブラシの種類に応じてどの位置に穴を設けるか異ならせておくことで、識別マーカ読み取り部ではどの光電素子から受光しているかによってブラシ種類を判別可能である。光電素子が３つある場合には、８種類の状態（７種類のブラシと非装着状態）を判別可能である。
【００７１】
また、識別マーカ読み取り部として異なる種類の波長を検知可能な複数の光電素子を利用して、識別マーカとして特定波長の光を透過させる光学フィルタ素材を採用可能である。ブラシの種類に応じてフィルタが透過する波長を変えておくことで、ブラシ種類の判別が可能となる。
【００７２】
また、識別マーカ読み取り部としてメカニカルな複数のスイッチを利用し、識別マーカとして各スイッチに対応する位置に設けられたスリット状の切り欠きや穴を採用することができる。ブラシ種類によって切り欠きや穴を設ける箇所を異ならせることで、装着時に切り替えられるスイッチの位置が異なる。したがって、どのスイッチが切り替えられたかを判断することで、ブラシ種類を判別可能である。
【００７３】
このようにして、識別マーカを利用して取り付けられているブラシ部品２１の種類を判別可能であるので、種々のブラシ種類についての振動特性をメモリ１２１に格納しておけば、取り付けられたブラシ種類に応じた振動特性を利用することができる。また、振動特性以外に、動作モードなどをブラシ種類毎に変えることも可能である。つまり、取り付けられたブラシ種類に対応して、歯垢除去効果を最適にすることができる。
【００７４】
なお、上記のような仕組みを使えば、ブラシ部品２１が取り付けられているか否かを判断することができる。したがって、ブラシ部品２１が取り付けられていない状態では、電源ボタンが押されても電源をオンしないように制御することができる。近年、電動歯ブラシの小型化が進み携帯性に優れたものが登場しているが、持ち運び中やカバンに保管中などに不意の外力が加わって意図せずに電源がオンになって、動作音や振動で不快な思いをしたり電池を消耗してしまうという問題があった。上記のように、ブラシ部品２１が非装着の状態では電源をオンにできないようにすれば、このような問題を解消することができる。
【００７５】
また、上記のような意図しない電源オンを防止するための別の仕組みとして、次のような方法を採用することもできる。すなわち、電源ボタン長押しによりボタン操作を受け付けないキーロックモードを採用するとともに、利用者にあらかじめロックを解除するためのボタン操作を登録させておき、キーロック時にこの操作が行われた場合のみキーロックを解除して電源オンするようにすればよい。解除用の操作パターンとしては、例えば、電源ボタンを１秒間に３回押した後に１秒以上長押しするというパターンを利用可能である。このような動作を利用者にあらかじめ行わせ、その信号パターンを記憶しておく。そして、キーロック時に記憶したパターンと一致した信号入力があったときに、キーロックを解除する。このような複雑な操作が意図せずに行われる可能性は低いため、意図しない電源オンを防止することができる。なお、ロック解除用の動作は、１つのボタンの操作だけ
でなく、複数のボタンの操作パターンを採用しても良い。
【００７６】
（変形例）
上述した実施形態の構成は本発明の一具体例を例示したものにすぎない。上述の説明で用いた数値等は例示であって、本発明を限定するものではない。本発明の範囲は上記実施形態に限られるものではなく、その技術思想の範囲内で種々の変形が可能である。
【００７７】
また、上記実施形態の共振切替動作モードでは、第１共振動作モードと第２共振動作モードを交互に切り替えたが、切替態様はこれに限らない。過渡状態における不規則なブラシ軌道が生じる原因は、切り替え前後での、安定動作状態におけるブラシの軌跡が異なることにあると考えられる。したがって、ブラシ動作の軌跡が互いに異なる動作モードの間を切り替えるものであれば、上記の実施形態と同様の効果が得られる。
【００７８】
たとえば、第１共振動作モードと通常動作モードを交互に切り換えても良いし、第２共振動作モードと通常動作モードを交互に切り換えても良い。このように、切替前後の一方に共振動作モードが含まれていれば、少なくとも一時的に共振を利用した振幅の大きなブラシ運動が得られる。また、共振を利用しない通常動作モード間で高速に切替を行っても良い。この場合も、過渡状態における不規則なブラシ運動が得られる。また、駆動振動数が共振振動数でなくても、共振振動数の前後で駆動振動数を切り換えると、過渡状態において共振振動数を通過するため、過渡状態においてブラシの振幅を大きくすることができる。
【００７９】
また、上記実施形態の共振切替動作モードでは２つの動作モードの間で切替を行ったが、３つ以上の動作モードの間で切替を行っても良い。たとえば、２つの共振動作モードの間に通常動作モードを挟んだ切替態様や、それら複数の動作モードをランダムに切り替える切替態様も好ましい。また、ブラシの第３の共振点を利用し、共振を利用した３つの動作モード間で高速に切り換えても良い。この場合、３つの共振点の中から選択された任意の２つの動作モード間で高速に切り換えても良いし、３つの動作モードを順次切り替えたり、３つの動作モードをランダムで切り換えたりしても良い。
【００８０】
また、第１共振動作モードや第２共振動作モードのような１つの共振点のみを利用する動作モードを無くして、共振切替モードのように複数の共振点を高速に切り換える動作モードだけにしても良い。
【図面の簡単な説明】
【００８１】
【図１】図１は、電動歯ブラシの外観を示す斜視図である。
【図２】図２は、電動歯ブラシの内部構成を示す断面図である。
【図３】図３は、第１実施形態のブロック図である。
【図４】図４は、ブラシの振動を模式的に示す図である。
【図５】図５は、負荷１００ｇの場合の共振点を示すグラフである。
【図６】図６は、過渡状態におけるブラシの軌跡を示す図である。
【図７】図７は、過渡状態におけるＹ軸（横）方向およびＺ軸（縦）方向のブラシの軌跡を示す図である。
【図８】図８Ａは共振切替動作モードでのＰＷＭ信号の波形を示す図であり、図８Ｂは共振切替動作モードでのブラシの振動状態を示す図である。
【図９】図９Ａ〜Ｄは、共振切替動作モードでのブラシの駆動状態の別の例を示す図である。
【図１０】図１０は、負荷２５０ｇの場合の共振点を示すグラフである。
【図１１】図１１は、第２実施形態のブロック図である。
【符号の説明】
【００８２】
１  電動歯ブラシ本体
１０  モータ
１１  回転軸
１２  駆動回路
１２１  メモリ
１２２  タイマ
１２３  電流検知回路
１３  充電池
１４  コイル
２  振動部材
２０  ステム部
２００  ステム
２０１  ホルダ
２０２  弾性部材
２０２Ａ  突起部
２０３  軸受
２１  ブラシ部品
２１０  ブラシ
３０  偏心軸
３００  重り
４０  軌道
Ｓ  スイッチ
【図１】
0005130971.tif 000002
【図２】
0005130971.tif 000003
【図３】
0005130971.tif 000004
【図４】
0005130971.tif 000005
【図５】
0005130971.tif 000006
【図６】
0005130971.tif 000007
【図７】
0005130971.tif 000008
【図８】
0005130971.tif 000009
【図９】
0005130971.tif 000010
【図１０】
0005130971.tif 000011
【図１１】
0005130971.tif 000012